(57)【特許請求の範囲】
【請求項１】
トイレ用シートであって、
吸水性を有する繊維と水溶性を有する繊維とを混抄して形成された不織布よりなる吸水シートと、
前記吸水シートの一方面上に島状に点在するように形成され、耐水性を有する複数の粘着剤と、
前記吸水シートの他方面上であって、各々が独立するように形成され、耐水性を有する複数の印刷模様とを備えた、トイレ用シート。
【請求項２】
前記粘着剤の各々は、円形形状を有し、千鳥状又は格子状に配置される、請求項１記載のトイレ用シート。
【発明の詳細な説明】
【０００１】
【発明の属する技術分野】
この発明はトイレ用シートに関し、特にトイレ使用時の尿滴等を受け止めるためのトイレ用シートに関するものである。
【０００２】
【従来の技術】
現在トイレの使用時における尿滴等の飛び跳ね防止として布製のトイレマットや不織布製の便座カバー等が使用されている。すなわち、これらをトイレ又はトイレの周辺に設置し、それらが使用によって汚れたら洗って繰り返し使用するか、そのままゴミ箱に廃棄している。
【０００３】
【発明が解決しようとする課題】
上記のような従来の商品では、それを実際に使用してみると思ったよりも汚れや悪臭が激しいものである。そのため、洗って再使用しようとしても、他の洗濯物と一緒に洗えないため、手間がかかってしまう。又、ゴミ箱に廃棄するにしても、悪臭がするため密封する必要が生じ、扱いが煩わしい等の問題点があった。
【０００４】
この発明は上記のような課題を解決するためになされたもので、安定した設置状態を保持できるとともに、使用後トイレに流して処分できるトイレ用シートを提供することを目的とする。
【０００５】
【課題を解決するための手段】
上記の目的を達成するために、請求項１記載の発明は、トイレ用シートであって、吸水性を有する繊維と水溶性を有する繊維とを混抄して形成された不織布よりなる吸水シートと、吸水シートの一方面上に島状に点在するように形成され、耐水性を有する複数の粘着剤と、吸水シートの他方面上であって、各々が独立するように形成され、耐水性を有する複数の印刷模様とを備えたものである。
【０００６】
このように構成すると、粘着剤により使用時の設置状態が安定するとともに、水に漬けると水溶性を有する繊維が溶解して粘着剤の形成位置の間で吸水シートは分解する。又、印刷模様によって、外観にデザイン上の変化が与えられるとともに、水に漬けた場合の吸水シートの分解が阻害されない。
【００１１】
請求項２記載の発明は、請求項１記載の発明の構成において、粘着剤の各々は、円板形状を有し、千鳥状又は格子状に配置されるものである。
【００１２】
【発明の効果】
以上説明したように、請求項１記載の発明は、使用時の設置状態が安定するとともに、水によって吸水シートが分解するため、トイレに流すことが可能となり使用後の処理が容易となる。又、外観に変化を与える印刷模様が形成できるとともに、吸水シートの分解が阻害されないため、トイレ用シートの品質がより向上する。
【００１５】
請求項２記載の発明は、請求項１記載の発明の効果に加えて、使用時の粘着剤の粘着効果が安定するとともに、使用後の吸水シートの剥がしが容易となるため、使い勝手が向上する。
【００１６】
【発明の実施の形態】
図１はこの発明の第１の実施の形態によるトイレ用シートの外観形状を示す図であって、その（１）は平面図を表し、その（２）はその裏面図を表したものであり、図２は図１のトイレ用シートの断面構成を示した拡大断面図である。
【００１７】
これらの図を参照して、トイレ用シート１１はブーメラン形状を有したシート材料より構成されている。シート材料は吸水シート１３を中心として構成され、その表面に印刷模様１４が形成され、その下面に粘着剤１６が形成されている。
【００１８】
吸水シート１３は吸水性を有するレーヨン繊維（９５％）にポリビニルアルコール（ＰＶＡ）繊維（５％）をバインダーとして混抄した不織布によって構成され、その目付け量は７０ｇ／ｍ２となっている。尚、吸水シート１３を構成するレーヨン繊維の代わりにパルプ繊維を採用してもよい。又、吸水シートをＰＶＡ繊維のような水溶性の繊維のみによって構成しても良いが、このようにすると少量の水が滴下されても全体が溶け易くなるため、あまり好ましいものではない。
【００１９】
粘着剤１６はアクリル系やウレタン系の耐水性のあるものが採用されている。そして粘着剤１６は吸水シート１３の下面の全面に塗布するものではなく、各々が島状に点在するように塗布されている。すなわち、吸水シート１３の下面には、必ず粘着剤１６が塗布されていない連続部分が残るように粘着剤１６が形成されている。又、粘着剤１６の各々の塗布面積はできるだけ小さくすることが好ましい。
【００２０】
この実施の形態においては、図１の（２）に示されているように、粘着剤１６の各々は直径５ｍｍ程度の円板形状を有し、隣接する３つの粘着剤１６が正三角形の頂点に位置するように、全体として千鳥状に吸水シート１３に対して塗布されている。尚、隣接する粘着剤１６同志の距離Ａは２０ｍｍとしている。
【００２１】
吸水シート１３の表面には印刷模様１４が形成されているが、この印刷模様１４は耐水性を有するものとしている。これは尿等が吸水シート１３の表面に滴下したような場合に、印刷模様１４の滲みを防止するためである。このように印刷模様１４は水溶性を有しないものを使用しているため、印刷模様１４の各々は吸水シート１３の表面で連続しないように形成されている。すなわち、印刷模様１４も粘着剤１６と同様に、吸水シート１３の表面に印刷模様１４が形成されていない部分が連続するように形成されるものである。
【００２２】
図３は図１及び図２で示したトイレ用シートの使用状態を示した斜視図である。
【００２３】
図を参照して、トイレ用シート１１は、便器１８の上縁部１９の上面に粘着剤１６を下方にして貼り付けられる。そしてトイレ用シート１１の先端部２１を下方に折り曲げて使用する。トイレ用シート１１の下面及び先端部２１の裏面には粘着剤１６が島状に点在しているため、その粘着力によってトイレ用シート１１は便器１８に対して貼り付けられ、その設置状態が確実に保持される。従ってトイレ用シート１１が使用時において便器１８に対して不用意に移動したり、めくれたりする虞はない。
【００２４】
使用時においてトイレ用シート１１上に尿滴等が滴下すると、吸水シート１３を構成する吸水性を有する繊維に吸水され、周りへの飛び跳ねを防止することが可能となる。粘着剤１６は耐水性を有するため、吸水シート１３を介して粘着剤１６に尿滴等の水分が到達しても、その粘着効果を低下させることはない。
【００２５】
尚、図１及び図２に示したトイレ用シートは、図３において示されているように便器１８の上縁部１９上に貼り付けられて使用されている。しかし、トイレ用シートを図２で示した断面構成を同じとして図３の仮想線で示す矩形シート形状のトイレ用シート２３として構成し、これをトイレの床面上であって便器１８の近くに配置して使用することも可能である。この場合、床面には粘着剤１６が接することになり、不用意な滑りやめくれが防止され安定した使用状態が確保される。
【００２６】
使用によってトイレ用シート１１が汚れてくると、トイレ用シート１１を便器１８から剥がし、そのまま便器１８内に投入すれば良い。この場合、粘着剤１６の各々は小さな円板形状を有しているため、剥がしが容易となり、トイレ用シート１１を剥がした後の便器１８に対する糊残りの発生が防止される。尚、上述のように粘着剤１６は耐水性を有するものとしてるが、水溶性のものを選択することも可能である。しかし、水溶性の粘着剤とすると少量の水でも溶けるため、吸水シートを剥がす際に糊残りを生じる虞がありあまり好ましくはない。
【００２７】
又、粘着剤１６は上述のように吸水シート１３の下面全面に塗布されていないため、吸水シート１３の外縁において粘着剤１６が塗布されていない部分が必ず存在する。そのため、その部分から吸水シート１３を摘むことによって剥がし動作が容易となる。又、粘着剤１６は吸水シート１３の裏面に千鳥状に均等に配置されているため、滑り防止効果が安定して発揮される。
【００２８】
便器１８に投入された使用済みのトイレ用シート１１は多量の水分を吸収することになり、トイレ用シート１１の吸水シート１３は分解することになる。
【００２９】
図４はこのような状態におけるトイレ用シートの断面状態を示した拡大断面図である。
【００３０】
図を参照して、吸水シート１３が多量の水分を吸水すると、吸水シート１３のバインダーとしての水溶性のＰＶＡ繊維が溶解してしまい、これによって連結されていた吸水性の繊維が解れてしまうことになる。一方、印刷模様１４及び粘着剤１６は各々耐水性を有するため、吸水の影響は受けず、形成時の状態が保持されている。従って粘着剤１６及び印刷模様１４が形成されている部分のレーヨン繊維は、ＰＶＡ繊維が溶けた状態となってもこれらによってある程度その状態が保持される。
【００３１】
一方、吸水シート１３の下面には粘着剤１６が塗布されていない部分が連続して存在し、吸水シート１３の上面も同様に印刷模様１４が形成されていない部分が連続して存在している。従ってこれらの部分における吸水シート１３は、その部分のＰＶＡ繊維が溶けることによってレーヨン繊維が解れてしまい、その位置で分解することになる。すなわち、トイレ用シート１１は粘着剤１６及び印刷模様１４が形成されていない位置において、図４に示すように細かな片に分解されることになる。その結果、便器１８に投入されたトイレ用シート１１を、排水管を通して確実に排出することが可能となる。
【００３２】
このようにこの実施の形態によるトイレ用シート１１は、使用後便器１８に投入するだけでその処分が完了するため、処分が容易となり使い勝手が向上する。
【００３３】
図５はこの発明の第２の実施の形態によるトイレ用シートに用いる接着剤の塗布パターンを示した図である。
【００３４】
図を参照して、この実施の形態においては、粘着剤１６の各々は先の実施の形態と同様に直径５ｍｍ程度の円板形状を有しているが、島状に点在する配列は格子状としている。すなわち、隣接する４ヶ所の粘着剤１６は正方形形状の頂点に位置しており、その間隔Ｂは２０ｍｍとしている。このように粘着剤１６を塗布することによっても、先の実施の形態と同様に水に漬けることによって分解するため、便器に投入することができる。そして、粘着剤１６の形状及び配列によって安定した滑り防止効果を発揮するとともに、使用後の吸水シートの剥がしを容易とするものである。
【００３５】
尚、上記の実施の形態では、吸水シートとして不織布を用いているが、これに代えて、吸水性及び水溶性を有する紙製のシートを用いても同様の効果を奏する。
【００３６】
又、上記の実施の形態では、吸水シートの上面に印刷模様を形成しているが、これはトイレ用シートのデザイン面の向上を図るものであり、必ずしも必要なものではない。
【００３７】
更に、上記の実施の形態では、吸水性を有する繊維及び水溶性を有する繊維とを特定しているが、これらの機能を有する他の繊維を用いても良い事は言うまでもない。
【００３８】
更に、上記の実施の形態では、粘着剤の大きさ、形状及び配列を特定しているが、未塗布部分が残るものであれば、これ以外の大きさ等による粘着剤を採用することも可能である。
【００３９】
更に、上記の実施の形態では、トイレ用吸水シートの外観形状を特定しているが、これ以外の形状であっても同様の効果を奏することは言うまでもない。
【図面の簡単な説明】
【図１】この発明の第１の実施の形態によるトイレ用シートの外観形状を示した図である。
【図２】図１で示したトイレ用シートの断面構成を示す拡大断面図である。
【図３】図１及び図２で示したトイレ用シートの使用状態を示した斜視図である。
【図４】図２で示したトイレ用シートを水中に投入した場合の変化状態を示した拡大断面図である。
【図５】この発明の第２の実施の形態によるトイレ用シートの粘着剤の塗布パターンを示した図である。
【符号の説明】
１１，２３…トイレ用シート
１３…吸水シート
１４…印刷模様
１６…粘着剤
尚、各図中同一符号は同一又は相当部分を示す。
【図１】
0003692324.tif 000002
【図２】
0003692324.tif 000003
【図３】
0003692324.tif 000004
【図４】
0003692324.tif 000005
【図５】
0003692324.tif 000006